(57)【要約】　　　（修正有）【課題】２丁の理容美容鋏においてカット形成状態により、形成状態と鋏の使用用途によって、着脱止め具をはずして１丁鋏に、又は着脱止め具を装着し２丁鋏とに、使用用途によって使い分ける事ができる鋏の着脱止め具の開発。【解決手段】鋏Ｍに共通の重ね合わされた支軸３に、磁気板着脱止め具７を装着し、更に鋏本体の静体１と静体１をつなぐための、Ｅ字形着脱止め具と、動体２と動体２をつなぐ為のＥ字形着脱止め具８とが、２丁鋏の連結補助しる着脱止め具となり、固定一体に連結した磁気板着脱止め具とＥ字形着脱止め具は、着脱自在で固定一体型にて容易に開閉操作可能である。【選択図】図１
2004041282.tif 000002
【特許請求の範囲】
【請求項１】
理容美容の２丁鋏において、断面がコ字形の立方体であって、前記立方体のコ字形の内側底面の中央部に凹溝部を設け、前記凹溝部に略等しい長さを有する磁気板を、前記凹溝部に嵌合させて、Ｅ字形を成形し、前記立方体の内側面と磁気板との間に生ずる２つの間隙部に、２本の鋏本体の柄が挿入され、前記コ字形の先端部を折り曲げて突起部を形成する、Ｅ宇形着脱止め具。
【発明の詳細な説明】
【０００１】
【発明の属する技術分野】
本発明は理容鋏を別個独立に、２丁の鋏を脱着自在にて使い分ける事ができ、更に固定一体型と成る、鋏の着脱止め具に関するものである。
【０００２】
【従来の技術】
従来の理容美容とわずカッテングに際し、施術的に１丁の鋏を持ちいて施術を行っていたのが一般的な場合で杜会的変化又技術的意向によって・片手に２丁の鋏を重ね持って施術を行う技法が場合によって必要不可欠である。
【０００３】
【発明が解決しようとする課題】
従来の技術で述べたもののうち前者において、従来のような片手に２丁の鋏を重ね持つ事は、技術的又施術的に鋏の操作に熟練を要する、２丁鋏で繊細なカッテングは出来るが２丁の鋏を操作するには施術者の熟練が必要不可火で、２丁の鋏を扱うのは技術的に高齢者の作業は困難を有し、施術者にはきずかいと、施術的疲労感が多く身体的、精神的に負担に成りうる欠点があった。
【０００４】
【課題を解決するための手段】
２丁鋏において、断面がコ字形の立方体であって、前記立方体のコ字形の内側底面の中央部に凹溝部を設け、前記凹溝部に略等しい長さを有する磁気板を、前記凹溝部に嵌合させて、Ｅ字形を成形し、前記立方体の内側面と磁気板との間に生ずる２つの間隙部に、２本の鋏本体の柄が挿入され、前記コ宇形の先端部を折り曲げて突起部を形成する。
【０００５】
【発明の実施の形態】
発明の実施の形態を実施例にもとずき図面を参照して説明する。
図１に示すの様に２丁の鋏本体Ａと本体Ｂを重ね合わせた時、Ｅ字形着脱止め具によって、鋏本体Ａと本体Ｂの間に適宜の隙間を形成させ、磁気板着脱止め具により、相合共通な部位の支軸が支点と成り、鋏が固定一体連結され、各動体指掛け孔と静体指掛け孔はそれぞれ重ね合わされ、Ｅ字形着脱止め具により固定一体連結され、開閉操作連動される。
【０００６】
図１示す様にＥ字形着脱止め具を装着する事により、鋏本体Ａと本体Ｂは相合
共通の連動性を持ち、安定と一体連結感のある理容美容鋏と成る、２丁の鋏が連結する事により１丁鋏との違いは、手に収まる感じには手に密着感があり、鋏本体Ａと本体Ｂが、Ｅ宇形着脱止め具によって重ね合わす事で、鋏と鋏との適宜の間隔が肉厚を増し固定一体型にて安定する。
【０００７】
鋏本体Ａと本体Ｂの相合共通に連結する支軸は、図２正面図の様に鋏本体Ａと本体Ｂから成る、Ｅ字形着脱止め具と磁気板着脱止め具を装着したる支軸とによって形成される、更に固定一体型に連結する鋏本体Ａと本体Ｂの適宜の間隔を固定一体型にする、２個又は３個のＥ字形着脱止め具を装着し、カット方法によって鋏は別個独立に使い分けて使用する。
【０００８】
理容美容鋏の５インチ〜７インチの支軸と支軸のとの隙間に位置しる磁気板着脱止め具の正面は（１ｍｍ〜３０ｍｍ位）で側面は（１ｃｍ〜５ｃｍ位）とし、Ｅ字形着脱止め具の正面は（１ｃｍ〜５ｃｍ位）で側面は（１ｃｍ〜５ｃｍ位）で形成加工される、又鋏との兼ね合い、形成加工状態、使用用途、施術的側面により思考、材質は異なり形成加工状態により着脱止め具の形態は限定されるものではない。
【０００９】
例として、薄いステンレス板、プラスチック板、カキョウポリ、樹脂、磁気板、バネ板、スプリング板、など、軽量で施術的使いよく色彩豊富にて楽しく仕事に従事できる様に配慮し、磁気板着脱止め具又Ｅ形着脱止め具の適宜の間隔の調整に際して、長さ、材質、色彩、素材は鋏との兼ね合い又使用用途、技術的面、施術的側面によって、杜会動向を配慮し必要に応じ操作性を損なわない様な材質に配慮される。
【００１０】
図３は適宜の間隔を形成させる前記のＥ宇形着脱止め具はＥ宇形からなる（イ）（ロ）（ハ）の構造は、コ字形外枠（イ）　（ロ）は外側壁の各コ字形外枠、先端部の内側に突起的、折曲部を設け、柄部を支え柄部が外れない構造で、更に（ハ）のＥ字形着脱止め具は、コ字形の内側底面の中央部に凹溝部を設け、凹溝部に略等しい長さを有する磁気板を、コ字形の底面凹溝部に結合させて、Ｅ字形を成形し、外側面と磁気板との間に生ずる２つの間隙部に、２本の鋏本体の柄が挿入され、柄部に装着される、Ｅ字形着脱止め具は人差し指と巾指とが収まる部分を包み込む様に位置され、更にＥ字形着脱止め具は柄部の形状に沿った形態に配慮され、更に形態に沿った材質の活用が望ましい。
【００１１】
図５この形状による固定一体型成る、静体用固定一体型着脱止め具は、磁気板着脱止め具とＥ字形着脱止め具を共通に連結し、連動性の保持出来る構造の成る形態様式は、静体用固定一体型着脱止め具によって、固定一体型と成り、連結連動される。
【００１２】
【考案の効果】
上記ように構成された本発明によれば、鋏の本体Ａと本体Ｂとのすき間に最適な間隔を形成されるための、固定一体型と成る鋏の着脱止め具を２丁の鋏の共通の支軸が連結する為の、各鋏の指掛け孔（４）、（５）を左右それぞれに重ね合わせ、指掛け孔をそれぞれ一体開閉操作出来るように、Ｅ字形着脱止め具によって固定し、固定一体型に成る、鋏の着脱止め具を提供しるものである。
【００１３】
上記目的を達成するためには、本発明において施術時、１丁の鋏を２丁の鋏に、技術的、必要な時点には、鋏の着脱止め具を装着する事によって、１丁鋏の如く、操作は容易にて、施術的には高齢の施術者でも、カッテングの技術的、要素の、カットの売さと、動き、毛量を軽く、杭感、すき鋏の感覚の如く収まりやすく、施術的に使い易い、高齢の施術者にも、技術的向上の点からも操作性がよい、連結し固定一体型と成る。
【００１４】
上記のように鋏に連結したＥ字形着脱止め具と、支軸の磁気板着脱止め具との装着によって、連動性を保ち鋏の本体（Ａ）と本体（Ｂ）とのズレや違和感も無く、動体指掛け孔と静体指掛け孔の連動性は、連結された指掛け部によって、固定一体化されているので、施術的に指先と各指掛け孔との違和的な感じを気にする事も無く、２丁の鋏を固定一体型に装着し連結し、鋏の着脱止め具によって開閉操作可能である。
【００１５】
したがって本発明によれば、それ程鋏使いに精通熟練を要する事無く、新規的な技術的なカットの荒さ、動き、毛量を軽く、杭感、すき鋏の感覚の如く、収まりやすく高齢施術又精通していない施術者でも操作が可能な鋏の着脱止め具による前記の課題を解決したものである。
【００１６】
２丁鋏の施術的な効率効果は技術的に２丁鋏による、すき鋏の如く鋏を頭皮に直角に構え、頭皮と鋏の間隔を保ち鋏を立てる様な手法で、突き梳きをする技法のセニングカットは今世代に求められているカット方法でカットの荒さ、動き、毛量を軽く、杭感、すき鋏の感覚の如く収まりやすく梳き鋏と２丁鋏によるセニングカットを行うとカット面が平面ではない斬新な荒々しさが演出できる。
【００１７】
２丁鋏によるカット法は時間短縮出来る為、施術者の疲労を軽減できる又別個独立して成るＥ字形着脱止め具（７）（８）は即座に、２丁鋏から１丁鋏にと着脱止め具を外す事ができ脱着白在にて、別個独立必要に応じて利便性により鋏本体を研磨作業おいても即挫に、着脱止め具を外し研磨作業を行う事ができる。
【図面の簡単な説明】
【図１】鋏本体Ａと本体Ｂの着脱止め具を装着状態で示す斜視図
【図２】連結状態を表す正面図
【図３】
【図４】連結状態を表す背面図と磁気板着脱止め具の拡大断面図
【図５】磁気板着脱止め具と一体型連結着脱止め具の背面図介
【符号の説明】
Ｍ　　　　　　鋏
１　　　　　　静体
２　　　　　　動体
３　　　　　　支軸
４　　　　　　動体指掛け孔
５　　　　　　静体指掛け孔
６　　　　　　一体型連結着脱止め具
７　　　　　　磁気板着脱止め具
８　　　　　　Ｅ字形着脱止め具
９　　　　　　本体Ａ
１０　　　　　　本体Ｂ
１１　　　　　　柄部
イ　　　　　　コ字形外枠
ロ　　　　　　コ字形外枠
ハ　　　　　　Ｅ字形磁気板巾央凹構部
▲１▼　　　　　　柄が差し込まれる間隙部
▲２▼　　　　　　柄が差し込まれる間隙部
【図１】
2004041282.tif 000003
【図２】
2004041282.tif 000004
【図３】
2004041282.tif 000005
【図４】
2004041282.tif 000006
【図５】
2004041282.tif 000007